(57)【要約】【課題】本発明は、画像出力装置で画像出力させる前に、データ量を削減しつつ正確なプレビュー画像を携帯端末装置で表示する。【解決手段】画像出力システム１は、携帯端末装置ＫＴと複合装置ＭＦが通信回線ＮＷで接続されて、携帯端末装置ＫＴから画像データと画像出力条件を指定して画像出力を複合装置ＭＦに要求する前に、該画像出力条件のうち携帯端末装置ＫＴが備えていない不足画像処理能力に関するプレビュー画像のみを、複合装置ＭＦで作成して装置プレビュー画像として携帯端末装置ＫＴに送り、携帯端末装置ＫＴが不足画像処理能力以外の画像処理能力（携帯端末装置ＫＴが備えている画像処理能力）によって携帯端末装置ＫＴで作成した端末プレビュー画像と合成して合成プレビュー画像を作成して、合成プレビュー画像をディスプレイ４４に表示する。【選択図】          図１
2014059762.tif 000002
【特許請求の範囲】
【請求項１】
携帯端末装置と画像出力装置が有線または無線の通信回線で接続されて、該携帯端末装置から画像データと画像出力条件を指定して画像出力を該画像出力装置に要求する前に、該画像データを画像出力したときのプレビュー画像を、該携帯端末装置の表示手段に表示させる画像出力システムであって、
プレビュー対象の前記画像データに対する前記画像出力条件に基づく前記携帯端末装置の有している画像処理能力を端末画像処理能力として取得する端末画像処理能力取得手段と、
プレビュー対象の前記画像データから前記画像出力条件に応じて前記端末画像処理能力に応じた端末プレビュー画像を作成する端末プレビュー画像作成手段と、
前記画像出力条件に対して、前記端末画像処理能力が不足している不足画像処理能力を判別する不足画像処理能力判別手段と、
プレビュー対象の前記画像データのうち、前記不足画像処理能力に対応する部分画像データと該不足画像処理能力に対応する画像出力条件を抽出する不足情報抽出手段と、
前記部分画像データに対する前記不足画像処理能力に対応する前記画像出力条件に応じて前記画像出力装置の有する画像処理能力を利用して装置プレビュー画像を作成する装置プレビュー画像作成手段と、
プレビュー対象の前記画像データのうち、前記不足画像処理能力に対応する部分画像データ以外の該画像データから前記端末プレビュー画像作成手段に前記端末プレビュー画像を作成させるとともに、該不足画像処理能力に対応する画像出力条件と前記部分画像データから前記装置プレビュー画像作成手段に前記装置プレビュー画像を作成させるプレビュー画像作成制御手段と、
前記端末プレビュー画像と前記装置プレビュー画像を合成して合成プレビュー画像を作成する合成プレビュー画像作成手段と、
前記合成プレビュー画像を前記表示手段に表示させる表示制御手段と、
を備えていることを特徴とする画像出力システム。
【請求項２】
前記不足画像処理能力判別手段は、
前記画像出力条件として文字のフォント種類が設定されている場合に、該画像出力条件としてのフォント種類のうち、前記端末画像処理能力として保有しているフォント種類以外のフォント種類を、前記不足画像処理能力として判別することを特徴とする請求項１記載の画像出力システム。
【請求項３】
前記不足画像処理能力判別手段は、
前記画像出力条件としては、非設定であるが、前記画像出力装置の設定として強制的に処理される画像処理を前記不足画像処理能力として取得することを特徴とする請求項１または請求項２記載の画像出力システム。
【請求項４】
前記プレビュー画像作成制御手段は、
前記装置プレビュー画像作成手段に、前記表示手段の解像度に応じて、前記装置プレビュー画像を拡大させたときの拡大プレビュー画像をも作成させることを特徴とする請求項１から請求項３のいずれかに記載の画像出力システム。
【請求項５】
前記画像出力システムは、
前記合成プレビュー画像を、前記装置プレビュー画像を作成した前記画像出力装置以外の画像出力装置を画像出力先として画像出力させる画像出力先変更手段を、さらに備えていることを特徴とする請求項１から請求項４のいずれかに記載の画像出力システム。
【請求項６】
画像データを保管するデータ保管手段と、
所定の表示手段と、
有線または無線の通信回線を通して画像出力装置と通信する通信手段と、
前記通信手段を介して前記画像出力装置に画像データと画像出力条件を指定して画像出力を要求する画像出力要求手段と、
画像出力対象の前記画像データから前記画像出力条件に応じて前記端末画像処理能力に応じた端末プレビュー画像を作成する端末プレビュー画像作成手段と、
プレビュー対象の前記画像データに対する前記画像出力条件に基づく画像処理能力を端末画像処理能力として取得する端末画像処理能力取得手段と、
前記画像出力条件に対して、前記端末画像処理能力が不足している不足画像処理能力を判別する不足画像処理能力判別手段と、
プレビュー対象の前記画像データのうち、前記不足画像処理能力に対応する部分画像データと該不足画像処理能力に対応する画像出力条件を抽出する不足情報抽出手段と、
前記部分画像データと前記不足画像処理能力に対応する前記画像出力条件及び該部分画像データに対する装置プレビュー画像の作成要求を前記通信手段から前記画像出力装置に送信するプレビュー作成要求手段と、
前記通信手段が前記画像出力装置から受信する前記装置プレビュー画像を前記端末プレビュー画像と合成して合成プレビュー画像を作成する合成プレビュー画像作成手段と、
前記合成プレビュー画像を前記表示手段に表示させる表示制御手段と、
を備えていることを特徴とする携帯端末装置。
【請求項７】
画像データを保管するデータ保管手段の該画像データと画像出力条件を指定して画像出力装置に画像出力要求する画像出力要求処理ステップと、
画像出力対象の前記画像データに対する前記画像出力条件に基づく画像処理能力を端末画像処理能力として取得する端末画像処理能力取得処理ステップと、
画像出力対象の前記画像データから前記画像出力条件に応じて前記端末画像処理能力に応じて所定の表示手段へ表示する端末プレビュー画像を作成する端末プレビュー画像作成処理ステップと、
前記画像出力条件に対して、前記端末画像処理能力が不足している不足画像処理能力を判別する不足画像処理能力判別処理ステップと、
プレビュー対象の前記画像データのうち、前記不足画像処理能力に対応する部分画像データと該不足画像処理能力に対応する画像出力条件を抽出する不足情報抽出処理ステップと、
前記部分画像データと前記不足画像処理能力に対応する前記画像出力条件及び該部分画像データに対する装置プレビュー画像の作成要求を前記画像出力装置に送信するプレビュー作成要求処理ステップと、
前記画像出力装置から受信する前記装置プレビュー画像を前記端末プレビュー画像と合成して合成プレビュー画像を作成する合成プレビュー画像作成処理ステップと、
前記合成プレビュー画像を前記表示手段に表示させる表示制御処理ステップと、
を有していることを特徴とするプレビュー画像作成制御方法。
【請求項８】
制御プロセッサに、
画像データを保管するデータ保管手段の該画像データと画像出力条件を指定して画像出力装置に画像出力要求する画像出力要求処理と、
画像出力対象の前記画像データに対する前記画像出力条件に基づく画像処理能力を端末画像処理能力として取得する端末画像処理能力取得処理と、
画像出力対象の前記画像データから前記画像出力条件に応じて前記端末画像処理能力に応じて所定の表示手段へ表示する端末プレビュー画像を作成する端末プレビュー画像作成処理と、
前記画像出力条件に対して、前記端末画像処理能力が不足している不足画像処理能力を判別する不足画像処理能力判別処理と、
プレビュー対象の前記画像データのうち、前記不足画像処理能力に対応する部分画像データと該不足画像処理能力に対応する画像出力条件を抽出する不足情報抽出処理と、
前記部分画像データと前記不足画像処理能力に対応する前記画像出力条件及び該部分画像データに対する装置プレビュー画像の作成要求を前記画像出力装置に送信するプレビュー作成要求処理と、
前記画像出力装置から受信する前記装置プレビュー画像を前記端末プレビュー画像と合成して合成プレビュー画像を作成する合成プレビュー画像作成処理と、
前記合成プレビュー画像を前記表示手段に表示させる表示制御処理と、
を実行させることを特徴とするプレビュー画像作成制御プログラム。
【請求項９】
携帯端末装置と画像出力装置が有線または無線の通信回線で接続されて、該携帯端末装置から画像データと画像出力条件を指定して画像出力を該画像出力装置に要求する前に、該画像データを画像出力したときのプレビュー画像を、該携帯端末装置の表示手段に表示させる画像プレビューシステムであって、
前記携帯端末装置は、
制御プロセッサに、
画像データを保管するデータ保管手段の該画像データと画像出力条件を指定して画像出力装置に画像出力要求する画像出力要求処理と、
画像出力対象の前記画像データに対する前記画像出力条件に基づく画像処理能力を端末画像処理能力として取得する端末画像処理能力取得処理と、
画像出力対象の前記画像データから前記画像出力条件に応じて前記端末画像処理能力に応じて前記表示手段へ表示する端末プレビュー画像を作成する端末プレビュー画像作成処理と、
前記画像出力条件に対して、前記端末画像処理能力が不足している不足画像処理能力を判別する不足画像処理能力判別処理と、
プレビュー対象の前記画像データのうち、前記不足画像処理能力に対応する部分画像データと該不足画像処理能力に対応する画像出力条件を抽出する不足情報抽出処理と、
前記部分画像データと前記不足画像処理能力に対応する前記画像出力条件及び該部分画像データに対する装置プレビュー画像の作成要求を前記通信回線を介して前記画像出力装置に送信するプレビュー作成要求処理と、
前記通信回線を介して前記画像出力装置から受信する前記装置プレビュー画像を前記端末プレビュー画像と合成して合成プレビュー画像を作成する合成プレビュー画像作成処理と、
前記合成プレビュー画像を前記表示手段に表示させる表示制御処理と、
を実行させるプレビュー画像作成制御プログラムを搭載していることを特徴とする画像プレビューシステム。
【発明の詳細な説明】
【技術分野】
【０００１】
本発明は、画像出力システム、携帯端末装置、プレビュー画像作成制御方法、プレビュー画像作成制御プログラム及び画像プレビューシステムに関し、詳細には、データ量を削減しつつ正確なプレビュー画像を携帯端末装置で表示する画像出力システム、携帯端末装置、プレビュー画像作成制御方法、プレビュー画像作成制御プログラム及び画像プレビューシステムに関する。
【背景技術】
【０００２】
近年、プリンタ装置、複合装置等の画像処理装置においては、有線、無線の通信回線を介して複数のコンピュータ、携帯端末装置等のホスト装置から画像データを受け取って、受け取った画像データに基づいて、印刷出力やデータ転送等の画像出力処理を行っている。
【０００３】
特に、近年では、ブルーツース、ｗｉｆｉ（wireless fidelity）等の無線通信技術の発達と携帯端末装置の発達によって、携帯端末装置と画像処理装置が無線通信によって容易に接続可能となり、種々の画像処理環境が形成されて、画像処理されるようになってきている。
【０００４】
従来から、携帯端末装置から画像出力装置に対して画像データを指定して画像出力処理を行わせる場合、画像処理結果を確認するために、画像出力条件に応じた画像出力（例えば、印刷出力）を行ったとした場合のプレビュー画像を携帯端末装置の表示部に表示させることが行われている。
【０００５】
ところが、出力画像を生成して画像を出力する画像出力装置が、画像出力条件に応じてプレビュー画像を作成して、携帯端末装置に送信し、該携帯端末装置で該プレビュー画像を表示すると、通信データ量が多くなって、通信回路、特に、狭帯域の通信回路のトラフィックを圧迫する。
【０００６】
そこで、携帯端末装置で、プレビュー画像を作成して該携帯端末装置のディスプレイにプレビュー画像を表示してもよいが、この場合、画像出力装置の画像処理能力と該携帯端末装置の画像処理能力とで相違があると、画像出力装置で画像出力される画像と携帯端末装置のディスプレイに表示されるプレビュー画像とがことなった画像になってしまうことがある。例えば、文字と画像が混在する画像データであって、画像出力条件に指定されているフォントのうち、画像出力装置は所有しているが、携帯端末装置は所有していないフォントがある場合に、プレビュー画像を携帯端末装置で作成すると、画像出力装置で実際に出力される画像とは異なるフォントのプレビュー画像となってしまう。特に、文字と画像が混在する画像データの場合、上記フォントの相違が画像のレイアウトの変化にも及び、全体として、プレビュー画像が出力画像とは、レイアウトにおいても異なったものとなるという問題がある。
【０００７】
そして、従来、印刷対象の印刷ジョブに対応する印刷プレビュー画像に関する展開処理内容に応じた確認レベルを指定する確認レベル指定手段と、前記確認レベル指定手段によって指定された確認レベルを示す情報と前記印刷ジョブとを前記画像形成装置に向けて送信するように制御する制御手段と、前記確認レベルを示す情報および印刷ジョブを基に印刷プレビュー画像を生成する印刷プレビュー画像生成手段と、前記印刷プレビュー画像生成手段によって生成された印刷プレビュー画像を前記情報処理機器へ提供するように制御する印刷プレビュー画像提供手段と、を有する技術が提案されている（特許文献１参照）。
【０００８】
すなわち、この従来技術は、確認レベルに応じた印刷プレビュー画像を生成して送ることで、データ量の削減を図っている。
【発明の概要】
【発明が解決しようとする課題】
【０００９】
しかしながら、上記公報記載の従来技術にあっては、確認レベルに応じた印刷プレビュー画像を生成して送るようにしているため、ユーザのプレビュー画像に対する必要性に応じてデータ量を削減することはできるが、プレビュー画像作成側と表示側とで、所有フォントが異なる等の画像処理能力が異なると、出力画像に正確なプレビュー画像を表示することができないという問題があった。
【００１０】
そこで、本発明は、データ量を削減しつつ正確なプレビュー画像を携帯端末装置で表示することを目的としている。
【課題を解決するための手段】
【００１１】
上記目的を達成するために、請求項１記載の画像出力システムは、携帯端末装置と画像出力装置が有線または無線の通信回線で接続されて、該携帯端末装置から画像データと画像出力条件を指定して画像出力を該画像出力装置に要求する前に、該画像データを画像出力したときのプレビュー画像を、該携帯端末装置の表示手段に表示させる画像出力システムであって、プレビュー対象の前記画像データに対する前記画像出力条件に基づく前記携帯端末装置の有している画像処理能力を端末画像処理能力として取得する端末画像処理能力取得手段と、プレビュー対象の前記画像データから前記画像出力条件に応じて前記端末画像処理能力に応じた端末プレビュー画像を作成する端末プレビュー画像作成手段と、前記画像出力条件に対して、前記端末画像処理能力が不足している不足画像処理能力を判別する不足画像処理能力判別手段と、プレビュー対象の前記画像データのうち、前記不足画像処理能力に対応する部分画像データと該不足画像処理能力に対応する画像出力条件を抽出する不足情報抽出手段と、前記部分画像データに対する前記不足画像処理能力に対応する前記画像出力条件に応じて前記画像出力装置の有する画像処理能力を利用して装置プレビュー画像を作成する装置プレビュー画像作成手段と、プレビュー対象の前記画像データのうち、前記不足画像処理能力に対応する部分画像データ以外の該画像データから前記端末プレビュー画像作成手段に前記端末プレビュー画像を作成させるとともに、該不足画像処理能力に対応する画像出力条件と前記部分画像データから前記装置プレビュー画像作成手段に前記装置プレビュー画像を作成させるプレビュー画像作成制御手段と、前記端末プレビュー画像と前記装置プレビュー画像を合成して合成プレビュー画像を作成する合成プレビュー画像作成手段と、前記合成プレビュー画像を前記表示手段に表示させる表示制御手段と、を備えていることを特徴としている。
【発明の効果】
【００１２】
本発明によれば、データ量を削減しつつ正確なプレビュー画像を携帯端末装置で表示することができる。
【図面の簡単な説明】
【００１３】
【図１】本発明の一実施例を適用した画像出力システムの構成図。
【図２】複合装置のブロック構成図。
【図３】複合装置のコントローラの機能ブロック構成図。
【図４】携帯端末装置のブロック構成図。
【図５】携帯端末装置の機能ブロック構成図。
【図６】プレビュー画像表示を伴う画像出力処理のシーケンス図。
【図７】画像データと画像出力条件及び携帯端末装置と複合装置の画像処理能力の関係を示す図。
【図８】携帯端末装置でのプレビュー画像の表示例を示す図。
【図９】画像出力処理を示すフローチャート。
【図１０】携帯端末装置におけるプレビュー画像作成処理を示すフローチャート。
【図１１】フォントの情報交換を伴う画像出力処理を示すフローチャート。
【図１２】地紋の設定有無に応じた画像出力処理を示すフローチャート。
【図１３】プレビュー画像の拡大を伴う画像出力処理のシーケンス図。
【発明を実施するための形態】
【００１４】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１５】
図１〜図１３は、本発明の画像出力システム、携帯端末装置、プレビュー画像作成制御方法、プレビュー画像作成制御プログラム及び画像プレビューシステムの一実施例を示す図であり、図１は、本発明の画像出力システム、携帯端末装置、プレビュー画像作成制御方法、プレビュー画像作成制御プログラム及び画像プレビューシステムの一実施例を適用した画像出力システム１の構成図である。
【００１６】
図１において、画像出力システム１は、複合装置（画像出力装置）ＭＦと携帯端末装置ＫＴが有線または無線の通信回線ＮＷで接続されており、複合装置ＭＦと携帯端末装置ＫＴが、通信回線ＮＷを介して画像データやその他のデータ及び各種信号の授受を行う。
【００１７】
この通信回線ＮＷは、有線または無線のＬＡＮ（Local Area Network）、音声接続等種々の通信回線を用いることができる。
【００１８】
画像出力システム１は、少なくとも、携帯端末装置ＫＴから画像データを複合装置ＭＦに送信して、または、複合装置ＭＦと携帯端末装置ＫＴの双方が通信回線ＮＷとしてのＬＡＮ（Local Area Network）等のネットワークに接続されていて、該ネットワークに接続されている画像データを格納している他の複合装置、複写装置、コンピュータ等の画像処理装置から複合装置ＭＦと携帯端末装置ＫＴに同じ画像データを送信させて、複合装置ＭＦに適宜の画像出力条件で印刷、転送等の画像出力処理を行わせるが、この画像出力前に、該画像出力条件で画像出力したときプレビュー画像を携帯端末装置ＫＴで表示するが、このプレビュー画像の表示において、携帯端末装置ＫＴと複合装置ＭＦとの間でやり取りするデータ量を削減しつつ、画像出力条件を正確に反映させたプレビュー画像を携帯端末装置ＫＴで表示する。
【００１９】
そして、複合装置ＭＦは、図２に示すようにブロック構成されており、コントローラ１１、エンジン１２、オペレーションパネル１３等を備えている。
【００２０】
コントローラ１１は、そのとき設定されている制御モード及び携帯端末装置ＫＴあるいはその他のネットワーク端末（以下、説明を明確にするために、携帯端末装置ＫＴのみを取り上げて説明する。）からの制御コードに従って、携帯端末装置ＫＴからの画像データを、描画データに変換してエンジン１２に出力し、また、エンジン１２のスキャナエンジンから入力される画像データに必要な画像処理を施して、携帯端末装置ＫＴやその他の端末装置に送信する制御機構の総称である。コントローラ１１は、ＣＰＵ（Central Processing Unit ）２１、ＲＯＭ（Read Only Memory）２２、ＲＡＭ（Random Access Memory）２３、メモリアービタ２４、ＮＶＲＡＭ（Non-Volatile Random Access Memory）２５、ネットワークＩ／Ｆ（インターフェイス）２６、エンジンＩ／Ｆ２７、パネルＩ／Ｆ２８及び図示しないハードディスク（ＨＤＤ）等を備えていて、各部は、バス２９で接続されている。
【００２１】
ネットワークＩ／Ｆ２６には、有線または無線の上記通信回線ＮＷを介して携帯端末装置ＫＴが接続され、ネットワークＩ／Ｆ２６は、通信回線ＮＷを介して携帯端末装置ＫＴから送信されてくる制御信号及びデータ（画像データ等）等を受け取るとともに、複合装置ＭＦから携帯端末装置ＫＴに各種制御信号及び画像データやその他の情報（プレビュー画像データ、装置画像処理能力）等の送り出しを行うインターフェイスである。
【００２２】
ＲＯＭ２２は、コントローラ１１内でのデータの処理や管理及び周辺モジュールを制御するためのプログラム、具体的には、複合装置ＭＦとしての基本処理プログラム及び本発明のプレビュー画像作成制御方法のうち複合装置ＭＦで実行する必要な処理を実行するための画像出力装置側プレビュー画像作成制御プログラム等の各種プログラムを格納しているとともに、これらの各プログラムを実行するのに必要な各種データを格納している。
【００２３】
ＣＰＵ２１は、ＲＯＭ２２に格納されているプログラムに基づいて、ＲＡＭ２３をワークメモリ及びフレームメモリとして利用しつつ、複合装置ＭＦの各部を制御して、印刷処理、スキャナ処理等の画像処理を行うとともに、後述するプレビュー画像作成制御方法のうち画像出力装置として必要な処理を実行する。
【００２４】
ＲＡＭ２３は、ＣＰＵ２１のワークメモリとして利用されるとともに、携帯端末装置ＫＴからの画像データやエンジン１２のスキャナで読み取られた画像データをページ単位に管理して一時記憶するフレームメモリ及びフレームメモリに記憶されたデータを実際の印刷に適した描画データに変換して展開されるビットマップメモリ等として利用される。ＲＡＭ２３は、この画像データまたは画像データから変換された描画データ、あるいは、中間データ、または、画像データ、プレビュー画像データを、複数ページ分蓄積する容量を有している。
【００２５】
メモリアービタ２４は、ＲＡＭ２３をアクセスする必要のあるＣＰＵ２１やハードディスク、バス２９からのアクセス要求を調停する。
【００２６】
ＮＶＲＡＭ２５は、複合装置ＭＦの電源が切られているときにも記憶内容を保持するメモリであり、複合装置ＭＦの電源がオフの際にも保持する必要のあるフォント、地紋データ、システム設定値、複合装置ＭＦとしての後述する装置画像処理能力情報等がＣＰＵ２１の制御下で格納される。
【００２７】
エンジンＩ／Ｆ２７には、エンジン１２が接続されており、エンジンＩ／Ｆ２７は、コントローラ１１からエンジン１２への制御信号や描画データの出力及びエンジン１２からコントローラ１１へのステータス信号や読み取り結果である画像データの受け取りを行う。
【００２８】
エンジン１２は、プリンタエンジンやスキャナエンジン等を備えており、プリンタエンジンとしては、例えば、電子写真方式プリンタエンジン、インク噴射式プリンタエンジン等のプリンタエンジンが使用されている。
【００２９】
エンジン１２のプリンタエンジンは、電子写真方式のプリンタエンジンの場合、図示しないが、電子写真方式で用紙に画像データ（描画データ）を記録出力するのに必要な部品、例えば、感光体、帯電部、光書込部、現像部、転写部及びクリーニング部等を備えており、描画データ及び制御信号により光書込部を動作させて感光体上に静電潜像を形成して、現像部によりトナーを感光体上に供給して現像してトナー画像を形成する。プリンタエンジンは、給紙部から用紙を感光体と転写部との間に給紙して、感光体上のトナー画像を用紙に転写させ、トナー画像の転写された用紙を定着部に搬送して、定着部で加熱・加圧して用紙上のトナー画像を定着させることで、画像を形成する。
【００３０】
また、エンジン１２のスキャナエンジンは、例えば、ＣＣＤ(Charge Coupled Device）を利用したラインイメージセンサ、アナログ／デジタル（Ａ／Ｄ）変換回路及びこれらを駆動する駆動回路等を備えており、一般的にＡＤＦを備えている。ＡＤＦには、複数枚の原稿がセットされ、ＡＤＦは、セットされた原稿を１枚ずつスキャナエンジンの原稿読み取り位置に送給する。スキャナエンジンは、ＡＤＦから搬送されてきた原稿を主走査及び副走査して原稿の濃淡情報から画像を所定の解像度で読み取って、例えば、ＲＧＢ各所定ビット（例えば、各８ビット）の画像データを作成してコントローラ１１に出力する。なお、スキャナエンジンは、ＣＣＤを用いたものに限るものではなく、例えば、ＣＩＳ（Contact Image Sensor：密着イメージセンサ）やＣＭＯＳ（Complementary Metal Oxide Semiconductor ）を用いたものであってもよい。
【００３１】
パネルＩ／Ｆ２８には、オペレーションパネル１３が、ＵＳＢ（Universal Serial Bus）またはシリアルケーブル等によって接続されており、パネルＩ／Ｆ２８は、ＣＰＵ１１とオペレーションパネル１３との間の信号の授受を行う。
【００３２】
オペレーションパネル１３は、テンキー、スタートキー、モードを選択するモード選択キー等の各種操作キーを備えるとともに、タッチパネル付き液晶表示部等の表示部を備えている。オペレーションパネル１３は、操作キーのキー操作や表示部のタッチ操作によって、プリント操作等の各種命令や各種情報等が表示される。
【００３３】
ハードディスクは、エンジン１２のスキャナエンジンで読み取られた原稿の画像データ、展開された画像データや携帯端末装置ＫＴから送られてきた画像データ、画像出力条件、複合装置ＭＦで作成したプレビュー画像データ等をＣＰＵ１１の制御下で蓄積し、また、読み出される。
【００３４】
そして、コントローラ１１は、上記基本プログラム及び画像出力装置側プレビュー画像作成制御プログラムが導入されることで、図３に示すような機能ブロックが構築され、システムコントロール機能部３１、ネットワークＩ／Ｆ機能部３２、ＰＤＬ（Page Description Language：ページ記述言語）機能部３３、エンジンＩ／Ｆ機能部３４及びパネルＩ／Ｆ機能部３５等が構築されている。
【００３５】
システムコントロール機能部３１は、複合装置ＭＦ全体の制御を行って、複合装置ＭＦとしての基本処理及び上記本発明のプレビュー画像作成制御方法のうち複合装置ＭＦで実行する必要な処理の実行を制御する。
【００３６】
ネットワークＩ／Ｆ機能部３２は、携帯端末装置ＫＴから送信されてくる制御信号及びデータ（画像データ等）を受け取ってシステムコントロール機能部３１に渡すとともに、複合装置ＭＦから携帯端末装置ＫＴに送信するステータス信号、装置画像処理能力、プレビュー画像データ等をシステムコントロール機能部３１から受け取って携帯端末装置ＫＴに送信する。
【００３７】
ＰＤＬ機能部３３は、画像データ及び画像出力条件（印刷設定情報等）を受け取って、該画像出力条件に応じた描画データを作成して、システムコントロール機能部３１に渡し、また、画像データから携帯端末装置ＫＴで表示するプレビュー画像であって該画像出力条件に応じたプレビュー画像、特に、文字、地紋等の部分プレビュー画像を作成して、システムコントロール機能部３１に渡す。具体的には、ＰＤＬ機能部３３は、ＰＣＬ（Printer Control Language）／ＰＳ（Post Script）／ＲＰＣＳ（Refined Printing Command Stream）等の複数のプリンタ言語エミュレーションを搭載しており、複合装置ＭＦから送られてきた画像データのＰＪＬコマンドの解釈及びＰＤＬコマンドの解釈を行って、画像出力条件に応じた描画データを作成、また、プレビュー画像であって画像出力条件及び携帯端末装置ＫＴのディスプレイ４４の解像度等に応じた装置プレビュー画像を作成して、システムコントロール機能部３１に渡す。特に、ＰＤＬ機能部３３は、ＲＡＭ２３等に格納されている画像データから携帯端末装置ＫＴで表示するための文字や地紋等の携帯端末装置ＫＴの備えていない画像処理能力では作成することのできないプレビュー画像、すなわち、出力対象の画像データに対する画像出力条件のうち、複合装置ＭＦの画像処理能力に対して、携帯端末装置ＫＴで不足している画像処理能力を用いた部分画像データに対するプレビュー画像を作成して、装置プレビュー画像としてシステムコントロール機能部３１に渡す。システムコントロール機能部３１は、ＰＤＬ機能部３３から受け取った装置プレビュー画像をネットワークＩ／Ｆ機能部３２を介して通信回線ＮＷを経由させて携帯端末装置ＫＴに送信する。したがって、ＰＤＬ機能部３３は、装置プレビュー画像作成手段として機能している。
【００３８】
パネルＩ／Ｆ機能部３５は、システムコントロール機能部３１の制御下で、オペレーションパネル１３の制御を行う。
【００３９】
エンジンＩ／Ｆ機能部３４は、システムコントロール機能部３１の制御下で、エンジン１２の動作制御を行う。
【００４０】
複合装置ＭＦは、画像出力要求を受け取った場合、ＰＤＬ機能部３３が画像出力対象の画像データに対する画像出力条件で画像処理して、エンジン１２で印刷出力したり、ネットワークＩ／Ｆ機能部３２から転送出力する。
【００４１】
複合装置ＭＦは、複合装置ＭＦの備えている画像処理能力、例えば、フォント種類、強制設定されている画像処理内容（例えば、地紋、トナーセーブ等）の情報を、ＮＶＲＡＭ２５等に保管している。
【００４２】
そして、携帯端末装置ＫＴは、ＯＳとしてAndroid（登録商標）、IOS（登録商標）、windows（登録商標）等を搭載したスマートフォンやタブレット等の携帯性を有する端末装置であり、図４に示すようにハードウェアがブロック構成されていて、ＣＰＵ４１、ＲＯＭ４２、ＲＡＭ４３、ディスプレイ４４、ネットワークＩ／Ｆ４５及び入力Ｉ／Ｆ４６等を備えている。携帯端末装置ＫＴは、各部がバス４７により接続されている。
【００４３】
ネットワークＩ／Ｆ（通信手段）４５は、ＣＰＵ４１の制御下で、通信回線ＮＷを介して複合装置ＭＦと通信し、複合装置ＭＦに画像出力条件を含む画像データや制御信号を送信する。また、ネットワークＩ／Ｆ４５は、複合装置ＭＦから送信されてくる制御信号及びデータ（装置画像処理能力、プレビュー画像データ等）を受け取ってＣＰＵ４１に渡す。
【００４４】
ＲＯＭ４２は、ＯＳ及び携帯端末装置ＫＴとしての基本プログラム及び本発明のプレビュー画像作成制御方法のうち携帯端末装置ＫＴで実行する必要のある処理を実行するための端末側プレビュー画像作成制御プログラム等の各種プログラムを格納しているとともに、これらの各プログラムを実行するのに必要な各種データを格納している。特に、ＲＯＭ４２は、携帯端末装置ＫＴの画像処理能力、特に、プレビュー画像を作成する上での画像処理能力、例えば、フォント種類等の端末画像処理能力、及び、複合装置ＭＦから取得した装置画像処理能力、すなわち、複合装置ＭＦのＰＤＬ機能部３３が処理可能な画像処理能力、例えば、フォント種類、地紋、トナーセーブ等の装置画像処理能力を保管している。携帯端末装置ＫＴは、この装置画像処理能力を適時に複合装置ＭＦから取得してＲＯＭ４２等に保管している。
【００４５】
ＣＰＵ４１は、ＲＯＭ４２内のプログラムに基づいて、ＲＡＭ４３をワークメモリとして利用しつつ携帯端末装置ＫＴの各部を制御して、携帯端末装置ＫＴとしての基本処理を実行するとともに、本発明のプレビュー画像作成処理を実行する。
【００４６】
特に、ＣＰＵ４１は、携帯端末装置ＫＴがＲＡＭ４３等に保管している画像データから該画像データの画像出力において設定されている画像出力条件に応じたプレビュー画像を作成する。また、ＣＰＵ４１は、該画像データのうち、携帯端末装置ＫＴは備えていないが複合装置ＭＦで画像出力する際に画像処理される画像出力条件（以下、適宜、単に、不足画像出力条件という。）を抽出するとともに、該不足画像出力条件に関連する部分の画像データ（以下、単に、部分画像データという。）を抽出し、該不足画像出力条件に関連する画像データ以外の画像データについては、該不足画像出力条件以外の画像出力条件に基づいてＣＰＵ４１がプレビュー画像を作成して端末作成プレビュー画像として保管する。一方、ＣＰＵ４１は、該不足画像出力条件に関連する画像データについては、該不足画像出力条件と該不足画像出力条件に関係する部分画像データを複合装置ＭＦに送って、複合装置ＭＦに該不足画像出力条件と部分画像データに基づくプレビュー画像の作成を要求して、複合装置ＭＦで作成された装置プレビュー画像を受け取ると、該装置プレビュー画像と端末プレビュー画像とを合成して合成プレビュー画像を作成し、合成プレビュー画像をディスプレイ４４へ表示させる。したがって、ＣＰＵ４１は、端末画像処理能力取得手段、端末プレビュー画像作成手段、不足画像処理能力判別手段、不足情報抽出手段、プレビュー画像作成制御手段、合成プレビュー画像作成手段及び表示制御手段として機能している。
【００４７】
ＲＡＭ（データ保管手段）４３は、ＣＰＵ４１のワークメモリとして利用されるとともに、ＣＰＵ４１が作成した端末プレビュー画像、複合装置ＭＦに画像出力要求する画像データ、複合装置ＭＦから送信されてきた装置プレビュー画像等を記憶する。
【００４８】
ディスプレイ（表示手段）４４は、例えば、ＬＣＤ（Liquid Crystal Display）にタッチパネルが積層されたディスプレイが用いられており、ＣＰＵ４１の制御下で、各種情報の表示、機能ボタンの表示及びプレビュー画像の表示を行う。
【００４９】
入力Ｉ／Ｆ４６は、物理キーやディスプレイ４４の機能キー及びその他の入力デバイスからの入力信号を受け付けて、受け付けた入力信号をＣＰＵ４１に渡す。
【００５０】
そして、携帯端末装置ＫＴは、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＳＤカード、ＭＯ等のコンピュータが読み取り可能な記録媒体に記録されている本発明のプレビュー画像作成制御方法を実行するプレビュー画像作成制御プログラムを読み込んで、ＲＯＭ４２等に導入することで、後述するデータ量を削減しつつ正確なプレビュー画像を携帯端末装置ＫＴで表示するプレビュー画像作成制御方法を実行する携帯端末装置として構築されている。このプレビュー画像作成制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００５１】
そして、携帯端末装置ＫＴは、このプレビュー画像作成制御プログラムが導入されることで、図５に示すような機能ブロックが構築され、プレビュー管理機能部５１、画面制御機能部５２、画像処理機能部５３、画面表示機能部５４、ネットワークＩ／Ｆ機能部５５及びユーザＩ／Ｆ機能部５６等が構築される。
【００５２】
ネットワークＩ／Ｆ機能部（通信手段）５５は、ネットワークＩ／Ｆ４５で構築され、プレビュー管理機能部５１の制御下で、複合装置ＭＦと通信して、データ及び信号の授受を行う。
【００５３】
ユーザＩ／Ｆ機能部５６は、入力Ｉ／Ｆ４６で構築され、物理キーやディスプレイ４４の機能キー及びその他の入力デバイスからの入力信号を受け付けて、受け付けた入力信号をプレビュー管理機能部５１に渡す。
【００５４】
画像処理機能部５３は、所定種類数のフォントデータ等の画像処理に必要なデータを保持し、プレビュー管理機能部５１の制御下で、各種画像処理、例えば、プレビュー画像の作成、プレビュー画像の拡大／縮小処理、プレビュー画像の回転処理等の画像処理を施して、画面制御機能部５２に渡す。したがって、画像処理機能部５３は、携帯端末装置ＫＴが保管している画像データからプレビュー画像（以下、適宜、単に、端末プレビュー画像という。）を作成する端末プレビュー画像作成手段として機能する。
【００５５】
プレビュー管理機能部５１は、画像処理機能部５３が画像データからプレビュー画像を作成する際に該画像データに対して画像処理可能な能力である端末画像処理能力（フォント種類等）を取得し、画像出力対象の画像データに対して設定されている画像出力条件に基づいて正確なプレビュー画像を作成するのに端末画像処理能力だけでは不足している画像出力条件を不足画像出力条件として抽出するとともに、該画像データのうち該不足画像出力条件に関連する部分画像データを抽出して、該不足画像出力条件と該部分画像データを、プレビュー画像の作成要求とともに、ネットワークＩ／Ｆ機能部５５を介して複合装置ＭＦに送信する。また、プレビュー管理機能部５１は、該不足画像出力条件に関連する画像データ以外の画像データについては、該不足画像出力条件以外の画像出力条件に基づいて、画像処理機能部５３にプレビュー画像を作成させて端末プレビュー画像として保管させる。
【００５６】
したがって、携帯端末装置ＫＴから複合装置ＭＦに画像データを適宜の画像出力条件で画像出力要求を行う場合、該画像データを該画像出力条件で画像出力する際のプレビュー画像を携帯端末装置ＫＴのディスプレイ４４に表示させて確認するためには、画像出力を要求する先の複合装置ＭＦのＰＤＬ機能部３３が備えている画像処理能力と、携帯端末装置ＫＴが備えている画像処理能力が同じであると、携帯端末装置ＫＴで作成して表示したプレビュー画像が、複合装置ＭＦで画像処理されて出力される画像の状態を正確に表していることになる。
【００５７】
ところが、例えば、画像出力条件で指定されている文字のフォント種類を、携帯端末装置ＫＴは備えていないが複合装置ＭＦは備えているときや、複合装置ＭＦで強制的に付加される画像処理、例えば、地紋等の処理を行うときには、携帯端末装置ＫＴでそのままプレビュー画像を作成すると、作成されて表示されたプレビュー画像は、複合装置ＭＦで該画像出力条件で画像処理されて出力される画像とは、異なったものとなる。
したがって、プレビュー管理機能部５１は、上記不足画像出力条件を抽出して、該不足画像出力条件及び関連する部分画像データを複合装置ＭＦに送信して、プレビュー画像の作成を要求する。
【００５８】
プレビュー管理機能部５１は、複合装置ＭＦから装置プレビュー画像が送られてくると、該装置プレビュー画像を、画像処理機能部５３に渡して、プレビュー画像の合成を指示する。
【００５９】
画像処理機能部５３は、プレビュー管理機能部５１から装置プレビュー画像が渡されると、先に作成して保管している端末プレビュー画像と該装置プレビュー画像を合成して、合成プレビュー画像を作成し、合成プレビュー画像を画面制御機能部５２に渡して、画面制御機能部５２にディスプレイ４４である画面表示機能部（表示手段）５４へ表示させる。
【００６０】
画面表示機能部５４は、ディスプレイ４４で構築され、各種情報の表示、機能ボタンの表示及びプレビュー画像の表示を行う表示手段として機能する。
【００６１】
画面制御機能部（表示制御手段）５２は、プレビュー画像機能部５１の制御下で、ディスプレイ４４である画面表示機能部５４を制御して、各種情報、特に、プレビュー画像の表示を行わせる。
【００６２】
そして、本実施例の画像出力システム１は、携帯端末装置ＫＴと複合装置（画像出力装置）ＭＦが有線または無線の通信回線ＮＷで接続されて、携帯端末装置ＫＴから画像データと画像出力条件を指定して画像出力を複合装置ＭＦに要求する前に、該画像データを画像出力したときのプレビュー画像を、携帯端末装置ＫＴのディスプレイ（表示手段）４４に表示させる画像プレビューシステムとしても機能している。
【００６３】
そして、この画像プレビューシステムは、携帯端末装置ＫＴが、制御プロセッサであるＣＰＵ４１に、画像データを保管するＲＡＭ（データ保管手段）４３の画像データと画像出力条件を指定して複合装置ＭＦに画像出力要求する画像出力要求処理と、画像出力対象の前記画像データに対する前記画像出力条件に基づく画像処理能力を端末画像処理能力として取得する端末画像処理能力取得処理と、画像出力対象の前記画像データから前記画像出力条件に応じて前記端末画像処理能力に応じてディスプレイ（表示手段）４４へ表示する端末プレビュー画像を作成する端末プレビュー画像作成処理と、前記画像出力条件に対して、前記端末画像処理能力が不足している不足画像処理能力を判別する不足画像処理能力判別処理と、プレビュー対象の前記画像データのうち、前記不足画像処理能力に対応する部分画像データと該不足画像処理能力に対応する画像出力条件を抽出する不足情報抽出処理と、前記部分画像データと前記不足画像処理能力に対応する前記画像出力条件及び該部分画像データに対する装置プレビュー画像の作成要求を前記通信回線ＮＷを介して複合装置ＭＦに送信するプレビュー作成要求処理と、前記通信回線ＮＷを介して複合装置ＭＦから受信する前記装置プレビュー画像を前記端末プレビュー画像と合成して合成プレビュー画像を作成する合成プレビュー画像作成処理と、前記合成プレビュー画像をディスプレイ４４に表示させる表示制御処理と、実行させるプレビュー画像作成制御プログラムを搭載している。
【００６４】
次に、本実施例の作用について説明する。本実施例の画像出力システム１は、データ量を削減しつつ正確なプレビュー画像を携帯端末装置ＫＴのディスプレイ４４に表示する。
【００６５】
すなわち、携帯端末装置ＫＴは、複合装置ＭＦに画像データに対して適宜の画像出力条件を設定して印刷出力、転送出力等の画像出力（以下、説明を明確にするために、印刷出力するものとして、説明する。）を依頼する場合、設定した画像出力条件が適切かどうかを、プレビュー画像を携帯端末装置ＫＴのディスプレイ４４に表示させて確認することが行われる。この場合、携帯端末装置ＫＴは、画像データと画像出力条件を、従来のように、複合装置ＭＦに送信して、複合装置ＭＦでプレビュー画像を作成させて、複合装置ＭＦからプレビュー画像を送ってもらって、ディスプレイ４４に表示してもよいが、処理に時間がかかるだけでなく、プレビュー画像という大きなデータを送り返す必要があり、通信トラフィックを圧迫する。特に、携帯端末装置ＫＴと複合装置ＭＦの通信回線ＮＷの帯域が狭く、他の装置も該通信回線ＮＷを利用するときには、できる限りデータ量を削減する必要がある。
【００６６】
そこで、本実施例の画像出力システム１は、画像出力対象の画像データに対して設定されている画像出力条件のうち、携帯端末装置ＫＴの備えていない画像処理能力に対応する画像出力条件である不足画像出力条件を抽出するとともに、画像データのうち該不足画像出力条件に対応する部分画像データを抽出して、該不足画像出力条件と該部分画像データのみを複合装置ＭＦに送信して、プレビュー画像を作成させる。
【００６７】
携帯端末装置ＫＴは、不足画像出力条件以外の画像出力条件に基づいて、残りの画像データから端末プレビュー画像を作成して、複合装置ＭＦから作成された装置プレビュー画像を受け取ると、端末プレビュー画像と装置プレビュー画像を合成して合成プレビュー画像を作成し、合成プレビュー画像をディスプレイ４４に表示する。
【００６８】
すなわち、画像出力システム１は、図６に示すように、ユーザＵが画像出力条件が既に設定されていて画像出力要求の対象となっている画像データを指定して携帯端末装置ＫＴの入力Ｉ／Ｆ４６でプレビュー要求を行うと（Ｐ１）、携帯端末装置ＫＴは、プレビュー管理機能部５１が、該プレビュー要求された画像データに設定されている画像出力条件のうち、自己の備えている画像処理能力である端末画像処理能力で処理不可能な画像出力条件を不足画像出力条件として抽出するとともに、該画像データのうち、該不足画像出力条件に関連する部分画像データを抽出し（Ｐ２）、抽出した不足画像出力条件と部分画像データを、ネットワークＩ／Ｆ機能部５５から通信回線ＮＷを介して複合装置ＭＦに送信する（Ｐ３）。
【００６９】
すなわち、プレビュー管理機能部５１は、例えば、図７（ａ）に示すような文字を含む画像データがあって、図７（ｂ）に示すように、「ａｂｃｄｅｆｇ」には、ＭＳＰ明朝が、「あいうえお」には、ＭＳＰゴシックが、「画像処理」には、ＨＧ丸ゴシックＭ−ＰＲＯが画像出力条件として設定されている場合に、携帯端末装置ＫＴが保有しているフォント種類が、図７（ｃ）に示すように、ＭＳＰ明朝とTimes New Romanで、複合装置ＭＦが保有しているフォント種類が、図７（ｄ）に示すように、ＭＳＰ明朝、ＭＳＰゴシック、Times New Romanであるとき、画像出力条件（フォント指定情報等）のうち、携帯端末装置ＫＴが画像処理能力として有しているのは、ＭＳＰ明朝のみであって、ＭＳＰゴシックとＨＧ丸ゴシックＭ−ＰＲＯについては不足画像処理条件であると判断する。プレビュー管理機能部５１は、この不足画像処理条件と判断したＭＳＰゴシックとＨＧ丸ゴシックＭ−ＰＲＯ及び関連する画像データ（部分画像データ）である「あいうえお」及び「画像処理」を複合装置ＭＦに送信する。
【００７０】
複合装置ＭＦは、送られてきた不足画像出力条件と部分画像データに基づいて、ＰＤＬ機能部３３が、プレビュー画像を作成（描画処理）し（Ｐ４）、装置プレビュー画像（描画結果）として通信回線ＮＷを介して携帯端末装置ＫＴに送信する（Ｐ５）。なお、複合装置ＭＦは、携帯端末装置ＫＴが備えていない画像処理能力であって、複合装置ＭＦも備えていない画像処理能力を利用した画像出力条件の設定された画像出力要求やプレビュー画像作成要求があると、要求されている画像出力条件に近い画像出力条件であって複合装置ＭＦが備えている画像処理能力で、該当する画像データを画像処理する。例えば、図７の場合、ＨＧ丸ゴシックＭ−ＰＲＯは、携帯端末装置ＫＴと複合装置ＭＦの双方が備えていないが、この場合、携帯端末装置ＫＴは、ＨＧ丸ゴシックＭ−ＰＲＯの文字のプレビュー画像作成要求を複合装置ＭＦに行い、複合装置ＭＦは、ＨＧ丸ゴシックＭ−ＰＲＯに近く、複合装置ＭＦが備えているフォント種類、例えば、ＭＳＰゴシックを代替画像出力条件として採用して該ＭＳＰゴシックでプレビュー画像を作成し、また、画像出力の際の画像処理（描画処理）を行う。
【００７１】
そして、この携帯端末装置ＫＴから複合装置ＭＦへのデータ送信及び複合装置ＭＦから携帯端末装置ＫＴへのデータ送信については、所定の圧縮方式で圧縮してデータ送信してもよい。
【００７２】
携帯端末装置ＫＴは、不足画像出力条件と部分画像データを複合装置ＭＦに送信して装置プレビュー画像の作成を要求している間に、プレビュー管理機能部５１が、不足画像出力条件以外の画像出力条件と部分画像データ以外の画像データに基づいて、画像処理機能部５３にプレビュー画像を生成させ、生成されたプレビュー画像を端末プレビュー画像として保管させる。例えば、プレビュー管理機能部５１は、図７の場合、ＭＳＰ明朝による「ａｂｃｄｅｆｇ」の文字の描画処理と図形描画処理を、画像処理機能部５３に行わせて描画結果を端末プレビュー画像として保管させる。
【００７３】
携帯端末装置ＫＴは、複合装置ＭＦから装置プレビュー画像が送られてきてネットワークＩ／Ｆ機能部５５が受信すると、プレビュー管理機能部５１が、該装置プレビュー画像を画像処理機能部５３に渡して、画像処理機能部５３が、端末プレビュー画像に該装置プレビュー画像を合成して合成プレビュー画像を作成し（Ｐ６）、作成した合成プレビュー画像を、例えば、図８に示すように、ディスプレイ４４に表示させる（Ｐ７）。
【００７４】
ユーザＵは、ディスプレイ４４に表示されたプレビュー画像を確認して（Ｐ８）、入力Ｉ／Ｆ４６で印刷依頼操作を行うと（Ｐ９）、ユーザＩ／Ｆ機能部５５が該操作を受けて、プレビュー管理機能部５１に通知し、プレビュー管理機能部５１がネットワークＮＷＩ／Ｆ機能部５４から通信回線ＮＷを介して複合装置ＭＦに画像データと画像出力条件を送信して印刷依頼を行う（Ｐ１０）。
【００７５】
複合装置ＭＦは、印刷依頼があると、印刷依頼のあった画像データを画像出力条件に応じてＰＤＬ機能部３３で描画してエンジン１２で印刷処理する（Ｐ１１）。なお、上記説明では、画像出力処理として印刷出力する場合について説明しているが、画像出力としては、印刷出力に限るものではなく、転送出力、表示出力等であってもよい。
【００７６】
すなわち、画像出力システム１は、図９に示すように、携帯端末装置ＫＴでユーザＵからのプレビュー要求があると（ステップＳ１０１）、携帯端末装置ＫＴから複合装置ＭＦに部分画像データと不足画像出力条件を送信してプレビュー作成要求を行い（ステップＳ１０２）、この間に、携帯端末装置ＫＴは、不足画像出力条件以外の画像出力条件と部分画像データ以外の画像データに基づいて、プレビュー画像を生成し、生成したプレビュー画像を端末プレビュー画像として保管する。
【００７７】
複合装置ＭＦは、送られてきた不足画像出力条件と部分画像データに基づいて、プレビュー画像を作成して装置プレビュー画像として携帯端末装置ＫＴに送信する（ステップＳ１０３）。
【００７８】
携帯端末装置ＫＴは、複合装置ＭＦから装置プレビュー画像が送信されてくると、該装置プレビュー画像を端末プレビュー画像と合成して合成プレビュー画像を作成し（ステップＳ１０４）、作成した合成プレビュー画像をディスプレイ４４に表示して（ステップＳ１０５）、印刷要求操作が行われたかチェックする（ステップＳ１０６）。
【００７９】
ステップＳ１０６で、印刷要求操作が行われると（ステップＳ１０６で、ＹＥＳのとき）、携帯端末装置ＫＴは、画像データと画像出力条件を送信（データ送信）して印刷要求し（ステップＳ１０７）、複合装置ＭＦは、画像データと画像出力条件を受け取って印刷要求があると、該画像データと画像出力条件に基づいて描画処理してエンジン１２で画像を印刷出力する印刷処理を行って、画像出力処理を終了する（ステップＳ１０８）。
【００８０】
なお、ステップＳ１０６で、印刷要求が所定時間内にないか、キャンセル操作が行われると（ステップＳ１０６で、ＮＯのとき）、携帯端末装置ＫＴは、そのまま画像出力処理を終了する。
【００８１】
また、ステップＳ１０１で、プレビュー要求がないとき（ステップＳ１０１で、ＮＯのとき）には、携帯端末装置ＫＴは、印刷要求があるかチェックして（ステップＳ１０６）、上記同様に処理する。
【００８２】
そして、携帯端末装置ＫＴは、上記プレビュー要求があった時にプレビュー画像をディスプレイ４４に表示するまでの処理を、図１０に示すように行う。
【００８３】
すなわち、入力Ｉ／Ｆ４６で画像出力条件の設定されている画像データに対してプレビュー要求があると（ステップＳ２０１）、プレビュー管理機能部５１が、プレビュー要求のあった画像部分を抽出する（ステップＳ２０２）。例えば、プレビュー管理機能部５１は、プレビュー要求された画像データが、複数ページからなっている場合に、プレビュー要求されたのは、特定のページであるか、全てのページであるか等のプレビュー要求画像部分を抽出する。
【００８４】
プレビュー管理機能部５１は、該プレビュー画像要求画像部分に設定されている画像出力条件を調べて、該画像出力要件のうち、装置画像処理能力では処理することのできない不足画像出力条件と、該不足画像出力条件に関連する画像データである部分画像データを抽出し（ステップＳ２０３）、抽出した不足画像出力条件と部分画像データを複合装置ＭＦに送信してプレビュー作成要求を行う（ステップＳ２０４）。
【００８５】
プレビュー管理機能部５１は、複合装置ＭＦにプレビュー作成要求を行うと、その間に、画像処理機能部５３に、不足画像出力条件以外の画像出力条件と部分画像データ以外の画像データに基づいて、プレビュー画像を生成させ、生成したプレビュー画像を端末プレビュー画像として保管させる（ステップＳ２０５）。
【００８６】
プレビュー管理機能部５１は、ネットワークＩ／Ｆ機能部５５が装置プレビュー画像を複合装置ＭＦから受信するのを待って（ステップＳ２０６）、装置プレビュー画像を受信すると、画像処理機能部５３に、端末プレビュー画像と装置プレビュー画像を合成させて、合成プレビュー画像を作成させる（ステップＳ２０７）。
【００８７】
画像処理機能部５３は、合成プレビュー画像を作成すると、作成した合成プレビュー画像を画面制御機能部５２に渡して、画面表示機能部５４であるディスプレイ４４に表示させて、プレビュー画像作成処理を終了する（ステップＳ２０８）。
【００８８】
なお、画像出力システム１は、プレビュー画像の作成に際しては、図１１に示すように、画像データに設定されている画像出力条件を、携帯端末装置ＫＴと複合装置ＭＦとで確認して、プレビュー画像の作成を複合装置ＭＦにも依頼するか否か決定してもよい。なお、図１１では、説明を分かりやすくするために、画像出力条件のうち、文字のフォント種類についてのみ取り上げて説明する。
【００８９】
すなわち、携帯端末装置ＫＴは、プレビュー要求があると（ステップＳ３０１）、画像データに含まれている文字に対して画像出力条件として設定されているフォント種類を携帯端末装置ＫＴが保有しているか、すなわち、端末画像処理能力として該フォント種類を有しているか否か判定し（ステップＳ３０２）、また、文字データとその文字に対して画像出力条件として設定されているフォント種類を複合装置ＭＦに送信して、該フォントを保有しているか否かの判定要求を行う（ステップＳ３０３）。
【００９０】
携帯端末装置ＫＴは、文字以外の画像データに対して、該画像データに対して設定されている画像出力条件に基づいて、画像処理機能部５３でプレビュー画像を生成し、生成したプレビュー画像を端末プレビュー画像として保管する。
【００９１】
複合装置ＭＦは、判定要求があると、送られてきた文字データとフォント種類情報を保存するとともに、該フォント種類を保有しているか否か判定して、判定結果を携帯端末装置ＫＴに送信する(ステップＳ３０４）。
【００９２】
携帯端末装置ＫＴは、複合装置ＭＦから判定結果が送られてくると、プレビュー対象の画像データに使用されている文字のフォント種類を、携帯端末装置ＫＴと複合装置ＭＦの双方が保有しているか判断し(ステップＳ３０５）、双方が保有しているとき(ステ３０５で、ＹＥＳのとき）には、複合装置ＭＦにプレビュー画像の作成要求を行う必要がないと判断して、文字データに対して設定されているフォントでプレビュー画像を画像処理機能部５３で生成し、先に作成して保存している端末プレビュー画像と文字のプレビュー画像を合成して合成プレビュー画像を生成する(ステップＳ３０６）。
【００９３】
ステップＳ３０５で、複合装置ＭＦと携帯端末装置ＫＴのいずれか、または、双方ともに、該フォントを保有していないとき（ステップＳ３０５で、ＮＯのとき）には、携帯端末装置ＫＴは、判定結果を複合装置ＭＦに送信する(ステップＳ３０７）。
【００９４】
複合装置ＭＦは、複合装置ＭＦと携帯端末装置ＫＴのいずれか、または、双方ともに、該フォントを保有していない旨の判定結果が携帯端末装置ＫＴから送られてくると、ステップＳ３０３で、既に受信して保管している文字データとフォント種類情報から該フォントを使用して、または、該フォントに近いフォントを代替フォントとして使用して、該文字のプレビュー画像を作成（描画）して、作成したプレビュー画像を装置プレビュー画像として携帯端末装置ＫＴに送信する(ステップＳ３０８）。
【００９５】
携帯端末装置ＫＴは、装置プレビュー画像が複合装置ＭＦから送られてくると、先に作成して保存している端末プレビュー画像と装置プレビュー画像を合成して合成プレビュー画像を作成する(ステップＳ３０６）。
【００９６】
携帯端末装置ＫＴは、合成プレビュー画像を生成すると、ディスプレイ４４に表示して（ステップＳ３０９）、印刷要求操作が行われたかチェックする（ステップＳ３１０）。
【００９７】
ステップＳ３１０で、印刷要求操作が行われると（ステップＳ３１０で、ＹＥＳのとき）、携帯端末装置ＫＴは、画像データと画像出力条件を送信（データ送信）して印刷要求し（ステップＳ３１１）、複合装置ＭＦは、画像データと画像出力条件を受け取って印刷要求があると、該画像データと画像出力条件に基づいてエンジン１２で画像を印刷出力する印刷処理を行って、画像出力処理を終了する（ステップＳ３１２）。
【００９８】
なお、ステップＳ３１０で、印刷要求が所定時間内にないか、キャンセル操作が行われると（ステップＳ３１０で、ＮＯのとき）、携帯端末装置ＫＴは、そのまま画像出力処理を終了する。
【００９９】
また、ステップＳ３０１で、プレビュー要求がないとき（ステップＳ３０１で、ＮＯのとき）には、携帯端末装置ＫＴは、印刷要求があるかチェックして（ステップＳ３１０）、上記同様に処理する。
【０１００】
このようにすると、より一層データ量を削減しつつ、正確なプレビュー画像を生成して、携帯端末装置ＫＴのディスプレイ４４に表示することができる。
【０１０１】
さらに、携帯端末装置ＫＴは、図１２に示すように、複合装置ＭＦの画像処理能力として、地紋処理等の強制的に実施される画像処理が設定されているか否かの情報を取得して、強制画像処理が設定されているときには、該設定情報を取得して、必要なプレビュー画像の生成を複合装置ＭＦに要求する。なお、図１２では、説明を明確にするために、強制画像処理として、地紋を取り上げて説明するが、地紋に限るものではない。
【０１０２】
携帯端末装置ＫＴは、プレビュー要求があると（ステップＳ４０１）、複合装置ＭＦに対して強制画像処理の設定情報の取得要求を行い(ステップＳ４０２）、地紋が設定されているかチェックする（ステップＳ４０３）。
【０１０３】
ステップＳ４０３で、地紋が設定されていないとき（ステップＳ４０３で、ＮＯのとき）には、携帯端末装置ＫＴは、携帯端末装置ＫＴのみでプレビュー画像を作成する（ステップＳ４０４）。
【０１０４】
ステップＳ４０３で、地紋が設定されているとき（ステップＳ４０３で、ＹＥＳのとき）には、携帯端末装置ＫＴは、複合装置ＭＦに対して、構成設定されている地紋のプレビュー画像の要求を行う(ステップＳ４０５）。
【０１０５】
複合装置ＭＦは、地紋プレビュー画像の要求があると、強制設定されている地紋のみのプレビュー画像を作成（描画）して、携帯端末装置ＫＴに送信する(ステップＳ４０６）。
【０１０６】
携帯端末装置ＫＴは、地紋のプレビュー画像が送られてくると、画像処理機能部５３で、プレビュー対象の画像データのプレビュー画像を作成し、作成したプレビュー画像と地紋のプレビュー画像を合成して合成プレビュー画像を作成する（ステップＳ４０４）。
【０１０７】
携帯端末装置ＫＴは、プレビュー画像を作成すると、該プレビュー画像をディスプレイ４４に表示して（ステップＳ４０７）、印刷要求操作が行われたかチェックする（ステップＳ４０８）。
【０１０８】
ステップＳ４０８で、印刷要求操作が行われると（ステップＳ４０８で、ＹＥＳのとき）、携帯端末装置ＫＴは、画像データと画像出力条件を送信（データ送信）して印刷要求し（ステップＳ４０９）、複合装置ＭＦは、画像データと画像出力条件を受け取って印刷要求があると、該画像データと画像出力条件に基づいてエンジン１２で画像を印刷出力する印刷処理を行って、画像出力処理を終了する（ステップＳ４１０）。
【０１０９】
なお、ステップＳ４０８で、印刷要求が所定時間内にないか、キャンセル操作が行われると（ステップＳ４０８で、ＮＯのとき）、携帯端末装置ＫＴは、そのまま画像出力処理を終了する。
【０１１０】
また、ステップＳ４０１で、プレビュー要求がないとき（ステップＳ４０１で、ＮＯのとき）には、携帯端末装置ＫＴは、印刷要求があるかチェックして（ステップＳ４０８）、上記同様に処理する。
【０１１１】
このようにすると、画像出力条件には設定されていなくても、複合装置ＭＦで強制的に処理される画像処理内容を反映したプレビュー画像を作成して、携帯端末装置ＫＴのディスプレイ４４に表示することができ、データ量を削減しつつ、より一層正確なプレビュー画像を表示することができる。なお、図１２では、地紋のプレビュー画像のみを複合装置ＭＦで作成して携帯端末装置ＫＴに送信する場合について説明していが、上述のように、不足画像出力条件があるときには、該不足画像出力条件に関連する部分画像データについても、複合装置ＭＦでプレビュー画像を作成して携帯端末装置ＫＴに送信する。
【０１１２】
また、携帯端末装置ＫＴにおけるプレビュー画像の表示においては、プレビュー画像の拡大要求操作が行われることがあり、画像出力システム１は、このプレビュー画像の一部を複合装置ＭＦで作成している場合にも、プレビュー画像の拡大操作に速やかに対応できるように、図１３に示すように、複合装置ＭＦで予め拡大プレビュー画像を作成して携帯端末装置ＫＴに送信してもよい。
【０１１３】
すなわち、画像出力システム１は、図１３に示すように、ユーザＵが、画像出力条件が既に設定されていて画像出力要求の対象となっている画像データを指定して携帯端末装置ＫＴの入力Ｉ／Ｆ４６でプレビュー要求を行うと（Ｐ２１）、携帯端末装置ＫＴは、プレビュー管理機能部５１が、該プレビュー要求された画像データに設定されている画像出力条件のうち、自己の備えている画像処理能力である端末画像処理能力で処理不可能な画像出力条件（図１３では、文字フォントのみを取り上げて説明している。）を不足画像出力条件として抽出するとともに、該画像データのうち、該不足画像出力条件に関連する部分画像データ（文字データ）を抽出し（Ｐ２２）、抽出した不足画像出力条件と部分画像データを、ネットワークＩ／Ｆ機能部５５から通信回線ＮＷを介して複合装置ＭＦに送信する（Ｐ２３）。
【０１１４】
複合装置ＭＦは、送られてきた不足画像出力条件と部分画像データ（文字のみ）に基づいて、ＰＤＬ機能部３３が、プレビュー画像を作成（描画処理）し（Ｐ２４）、装置プレビュー画像（描画結果）として通信回線ＮＷを介して携帯端末装置ＫＴに送信する（Ｐ２５）。
【０１１５】
携帯端末装置ＫＴは、不足画像出力条件と部分画像データを複合装置ＭＦに送信して装置プレビュー画像の作成を要求している間に、プレビュー管理機能部５１が、不足画像出力条件以外の画像出力条件と部分画像データ以外の画像データに基づいて、画像処理機能部５３にプレビュー画像を生成させ、生成されたプレビュー画像を端末プレビュー画像として保管させる。
【０１１６】
携帯端末装置ＫＴは、複合装置ＭＦから装置プレビュー画像が送られてきてネットワークＩ／Ｆ機能部５５が受信すると、プレビュー管理機能部５１が、該装置プレビュー画像を画像処理機能部５３に渡して、画像処理機能部５３が、端末プレビュー画像に該装置プレビュー画像を合成して合成プレビュー画像を作成し（Ｐ２６）、作成した合成プレビュー画像を、例えば、図８に示したように、ディスプレイ４４に表示させる（Ｐ２７）。
【０１１７】
複合装置ＭＦは、通常サイズの装置プレビュー画像を送信すると、次に、所定量だけ拡大した拡大プレビュー画像（文字のみ）を作成し（Ｐ２８）、作成した拡大プレビュー画像を携帯端末装置ＫＴに送信する（Ｐ２９）。
【０１１８】
ユーザＵは、ディスプレイ４４に表示された通常サイズのプレビュー画像を確認して（Ｐ３０）、入力Ｉ／Ｆ４６で拡大プレビュー要求を行うと（Ｐ３１）、ユーザＩ／Ｆ機能部５５が該操作を受けて、プレビュー管理機能部５１に通知し、プレビュー管理機能部５１が、画像処理機能部５３に、端末プレビュー画像の拡大処理を行わせるとともに、拡大端末プレビュー画像と複合装置ＭＦから送信されてきた拡大プレビュー画像を合成させて、拡大合成プレビュー画像を作成させる（Ｐ３２）。なお、ユーザＵによる画像拡大要求は、例えば、図８に示したようなプレビュー表示において、ディスプレイ４４に表示されている拡大ボタンを操作することで行われる。
【０１１９】
プレビュー管理機能部５１は、作成された合成プレビュー画像を、ディスプレイ４４に表示させる（Ｐ３３）。
【０１２０】
ユーザＵは、ディスプレイ４４に表示されたプレビュー画像を確認して（Ｐ３４）、入力Ｉ／Ｆ４６で印刷依頼操作を行うと（Ｐ３５）、ユーザＩ／Ｆ機能部５５が該操作を受けて、プレビュー管理機能部５１に通知し、プレビュー管理機能部５１がネットワークＮＷＩ／Ｆ機能部５４から通信回線ＮＷを介して複合装置ＭＦに画像データと画像出力条件を送信して印刷依頼を行う（Ｐ３６）。
【０１２１】
複合装置ＭＦは、印刷依頼があると、印刷依頼のあった画像データを画像出力条件に応じてエンジン１２で印刷処理する（Ｐ３７）。なお、上記説明では、画像出力処理として印刷出力する場合について説明しているが、画像出力としては、印刷出力に限るものではなく、転送出力、表示出力等であってもよい。また、拡大サイズのプレビュー画像をディスプレイ４４に表示している状態で、入力Ｉ／Ｆ４６で印刷ボタンが操作されると、拡大サイズの印刷依頼を行うようにしてもよい。
【０１２２】
そして、携帯端末装置ＫＴは、上述のようにして、プレビュー画像を作成及び取得すると、該プレビュー画像を、複合装置ＭＦ以外の他の画像出力装置に送信して、該画像出力装置で画像出力させてもよい。
【０１２３】
なお、上記説明においては、携帯端末装置ＫＴが、不足画像出力条件を判断して、該不足画像出力条件と関連画像データを複合装置ＭＦに送信して、複合装置ＭＦで装置プレビュー画像を生成し、装置プレビュー画像を携帯端末装置ＫＴに送信しているが、不足画像出力条件を複合装置ＭＦが判断してもよい。
【０１２４】
すなわち、携帯端末装置ＫＴは、画像出力要求を行う複合装置ＭＦに対して、先に、画像データと画像出力条件及び携帯端末装置ＫＴの画像処理能力を送信する。複合装置ＭＦは、画像データと画像出力条件及び携帯端末装置ＫＴの画像処理能力を受け取ると、画像出力条件と携帯端末装置ＫＴの画像処理能力から不足画像処理能力を抽出し、不足画像処理能力に関連する画像データを部分画像データとして抽出して、装置画像処理能力で、該部分画像データを該部分画像データに対して設定されている画像出力条件または代替画像出力条件でプレビュー画像を作成する。複合装置ＭＦは、作成したプレビュー画像を装置プレビュー画像として携帯端末装置ＫＴに送信する。
【０１２５】
そして、携帯端末装置ＫＴは、画像データと端末画像処理能力で画像出力条件を満たすことのできる端末プレビュー画像を作成し、作成した端末プレビュー画像と複合装置ＭＦから送られてきた装置プレビュー画像とを合成して合成プレビュー画像を作成する。携帯端末装置ＫＴは、作成した合成プレビュー画像をディスプレイ４４に表示する。
【０１２６】
このように、本実施例の画像出力システム１は、携帯端末装置ＫＴと複合装置（画像出力装置）ＭＦが有線または無線の通信回線ＮＷで接続されて、携帯端末装置ＫＴから画像データと画像出力条件を指定して画像出力を複合装置ＭＦに要求する前に、該画像データを画像出力したときのプレビュー画像を、携帯端末装置ＫＴのディスプレイ（表示手段）４４に表示させる画像出力システム１であって、プレビュー対象の前記画像データに対する前記画像出力条件に基づく携帯端末装置ＫＴの有している画像処理能力を端末画像処理能力として取得するプレビュー管理機能部（端末画像処理能力取得手段）５１と、プレビュー対象の前記画像データから前記画像出力条件に応じて前記端末画像処理能力に応じた端末プレビュー画像を作成する画像処理機能部（端末プレビュー画像作成手段）５３と、前記画像出力条件に対して、前記端末画像処理能力が不足している不足画像処理能力を判別するプレビュー管理機能部（不足画像処理能力判別手段）５１と、プレビュー対象の前記画像データのうち、前記不足画像処理能力に対応する部分画像データと該不足画像処理能力に対応する画像出力条件を抽出するプレビュー管理機能部（不足情報抽出手段）５１と、前記部分画像データに対する前記不足画像処理能力に対応する前記画像出力条件に応じて複合装置ＭＦの有する画像処理能力を利用して装置プレビュー画像を作成するＰＤＬ機能部（装置プレビュー画像作成手段）３３と、プレビュー対象の前記画像データのうち、前記不足画像処理能力に対応する部分画像データ以外の該画像データから画像処理機能部５３に前記端末プレビュー画像を作成させるとともに、該不足画像処理能力に対応する画像出力条件と前記部分画像データからＰＤＬ機能部３３に前記装置プレビュー画像を作成させるプレビュー管理機能部（プレビュー画像作成制御手段）５１と、前記端末プレビュー画像と前記装置プレビュー画像を合成して合成プレビュー画像を作成する画像処理機能部（合成プレビュー画像作成手段）５３と、前記合成プレビュー画像をディスプレイ４４に表示させる画面制御機能部（表示制御手段）５２と、を備えている。
【０１２７】
したがって、携帯端末装置ＫＴで画像出力条件を正確に表現したプレビュー画像を作成するのには、不足している画像出力条件についてのみ、複合装置ＭＦでプレビュー画像を作成して通信回線ＮＷを介して携帯端末装置ＫＴに送信して携帯端末装置ＫＴのディスプレイ４４で表示することができ、データ量を削減しつつ正確なプレビュー画像を携帯端末装置ＫＴで表示することができる。
【０１２８】
また、本実施例の画像出力システム１は、前記不足画像処理能力判別手段としてのプレビュー管理機能部５１が、前記画像出力条件として文字のフォント種類が設定されている場合に、該画像出力条件としてのフォント種類のうち、前記端末画像処理能力として保有しているフォント種類以外のフォント種類を、前記不足画像処理能力として判別している。
【０１２９】
したがって、フォントの種類の相違による不適切なプレビュー画像の表示をデータ量を削減しつつ解消することができ、データ量を削減しつつ正確なプレビュー画像を携帯端末装置ＫＴで表示することができる。
【０１３０】
さらに、本実施例の画像出力システム１は、前記不足画像処理能力判別手段としてのプレビュー管理機能部５１が、前記画像出力条件としては、非設定であるが、複合装置ＭＦの設定として強制的に処理される画像処理（例えば、地紋等）を前記不足画像処理能力として取得している。
【０１３１】
したがって、複合装置ＭＦで強制的に処理される地紋等をも反映させたプレビュー画像を生成することができ、データ量を削減しつつより一層正確なプレビュー画像を携帯端末装置ＫＴで表示することができる。
【０１３２】
また、本実施例の画像出力システム１は、前記プレビュー画像作成制御手段としてのプレビュー管理機能部５１が、ＰＤＬ機能部３３に、ディスプレイ４４の解像度に応じて、前記装置プレビュー画像を拡大させたときの拡大プレビュー画像をも作成させている。
【０１３３】
したがって、ディスプレイ４４に表示させているプレビュー画像に対して拡大操作が行われても、速やかに拡大プレビュー画像を生成して表示することができ、利用性を向上させることができる。
【０１３４】
さらに、本実施例の画像出力システム１は、プレビュー管理機能部５１が、前記合成プレビュー画像を、前記装置プレビュー画像を作成した複合装置ＭＦ以外の画像出力装置を画像出力先として画像出力させてもよい。
【０１３５】
このようにすると、装置プレビュー画像を作成した複合装置ＭＦがビジー等の理由で利用できなくなった場合にも、他の画像出力装置で、作成されたプレビュー画像を利用して画像出力することができ、利用性をより一層向上させることができる。
【０１３６】
さらに、本実施例の画像出力システム１は、携帯端末装置ＫＴが、画像データを保管するＲＡＭ（データ保管手段）４３と、ディスプレイ（所定の表示手段）４４と、有線または無線の通信回線ＮＷを通して複合装置（画像出力装置）ＭＦと通信するネットワークＩ／Ｆ機能部（通信手段）５５と、ネットワークＩ／Ｆ機能部５５を介して複合装置ＭＦに画像データと画像出力条件を指定して画像出力を要求するプレビュー管理機能部（画像出力要求手段）５１と、画像出力対象の前記画像データから前記画像出力条件に応じて前記端末画像処理能力に応じた端末プレビュー画像を作成する画像処理機能部（端末プレビュー画像作成手段）５３と、プレビュー対象の前記画像データに対する前記画像出力条件に基づく画像処理能力を端末画像処理能力として取得するプレビュー管理機能部（端末画像処理能力取得手段）５１と、前記画像出力条件に対して、前記端末画像処理能力が不足している不足画像処理能力を判別するプレビュー管理機能部（不足画像処理能力判別手段）５１と、プレビュー対象の前記画像データのうち、前記不足画像処理能力に対応する部分画像データと該不足画像処理能力に対応する画像出力条件を抽出するプレビュー管理機能部（不足情報抽出手段）５１と、前記部分画像データと前記不足画像処理能力に対応する前記画像出力条件及び該部分画像データに対する装置プレビュー画像の作成要求をネットワークＩ／Ｆ機能部５５から複合装置ＭＦに送信するプレビュー管理機能部（プレビュー作成要求手段）５１と、ネットワークＩ／Ｆ機能部５５が複合装置ＭＦから受信する前記装置プレビュー画像を前記端末プレビュー画像と合成して合成プレビュー画像を作成する画像処理機能部（合成プレビュー画像作成手段）５３と、前記合成プレビュー画像をディスプレイ４４に表示させる画面制御機能部（表示制御手段）５２と、を備えている。
【０１３７】
したがって、携帯端末装置ＫＴで画像出力条件を正確に表現したプレビュー画像を作成するのには、不足している画像出力条件についてのみ、複合装置ＭＦでプレビュー画像を作成して通信回線ＮＷを介して携帯端末装置ＫＴに送信して携帯端末装置ＫＴのディスプレイ４４で表示することができ、データ量を削減しつつ正確なプレビュー画像を携帯端末装置ＫＴで表示することができる。
【０１３８】
また、本実施例の画像出力システム１は、その携帯端末装置ＫＴが、画像データを保管するＲＡＭ４３の前記画像データと画像出力条件を指定して複合装置ＭＦに画像出力要求する画像出力要求処理ステップと、画像出力対象の前記画像データに対する前記画像出力条件に基づく画像処理能力を端末画像処理能力として取得する端末画像処理能力取得処理ステップと、画像出力対象の前記画像データから前記画像出力条件に応じて前記端末画像処理能力に応じてディスプレイ４４へ表示する端末プレビュー画像を作成する端末プレビュー画像作成処理ステップと、前記画像出力条件に対して、前記端末画像処理能力が不足している不足画像処理能力を判別する不足画像処理能力判別処理ステップと、プレビュー対象の前記画像データのうち、前記不足画像処理能力に対応する部分画像データと該不足画像処理能力に対応する画像出力条件を抽出する不足情報抽出処理ステップと、前記部分画像データと前記不足画像処理能力に対応する前記画像出力条件及び該部分画像データに対する装置プレビュー画像の作成要求を複合装置ＭＦに送信するプレビュー作成要求処理ステップと、複合装置ＭＦから受信する前記装置プレビュー画像を前記端末プレビュー画像と合成して合成プレビュー画像を作成する合成プレビュー画像作成処理ステップと、前記合成プレビュー画像をディスプレイ４４に表示させる表示制御処理ステップと、を有しているプレビュー画像作成制御方法を実行している。
【０１３９】
したがって、携帯端末装置ＫＴで画像出力条件を正確に表現したプレビュー画像を作成するのには、不足している画像出力条件についてのみ、複合装置ＭＦでプレビュー画像を作成して通信回線ＮＷを介して携帯端末装置ＫＴに送信して携帯端末装置ＫＴのディスプレイ４４で表示することができ、データ量を削減しつつ正確なプレビュー画像を携帯端末装置ＫＴで表示することができる。
【０１４０】
さらに、本実施例の画像出力システム１は、その携帯端末装置ＫＴが、制御プロセッサであるＣＰＵ４１に、画像データを保管するＲＡＭ４３の該画像データと画像出力条件を指定して複合装置ＭＦに画像出力要求する画像出力要求処理と、画像出力対象の前記画像データに対する前記画像出力条件に基づく画像処理能力を端末画像処理能力として取得する端末画像処理能力取得処理と、画像出力対象の前記画像データから前記画像出力条件に応じて前記端末画像処理能力に応じてディスプレイ４４へ表示する端末プレビュー画像を作成する端末プレビュー画像作成処理と、前記画像出力条件に対して、前記端末画像処理能力が不足している不足画像処理能力を判別する不足画像処理能力判別処理と、プレビュー対象の前記画像データのうち、前記不足画像処理能力に対応する部分画像データと該不足画像処理能力に対応する画像出力条件を抽出する不足情報抽出処理と、前記部分画像データと前記不足画像処理能力に対応する前記画像出力条件及び該部分画像データに対する装置プレビュー画像の作成要求を複合装置ＭＦに送信するプレビュー作成要求処理と、複合装置ＭＦから受信する前記装置プレビュー画像を前記端末プレビュー画像と合成して合成プレビュー画像を作成する合成プレビュー画像作成処理と、前記合成プレビュー画像をディスプレイ４４に表示させる表示制御処理と、を実行させるプレビュー画像作成制御プログラムを搭載している。
【０１４１】
したがって、携帯端末装置ＫＴで画像出力条件を正確に表現したプレビュー画像を作成するのには、不足している画像出力条件についてのみ、複合装置ＭＦでプレビュー画像を作成して通信回線ＮＷを介して携帯端末装置ＫＴに送信して携帯端末装置ＫＴのディスプレイ４４で表示することができ、データ量を削減しつつ正確なプレビュー画像を携帯端末装置ＫＴで表示することができる。
【０１４２】
また、本実施例の画像出力システム１は、携帯端末装置ＫＴと複合装置ＭＦが有線または無線の通信回線ＮＷで接続されて、携帯端末装置ＫＴから画像データと画像出力条件を指定して画像出力を複合装置ＭＦに要求する前に、該画像データを画像出力したときのプレビュー画像を、携帯端末装置ＫＴのディスプレイ４４に表示させる画像プレビューシステムであって、携帯端末装置ＫＴが、制御プロセッサであるＣＰＵ４１に、画像データを保管するＲＡＭ４３の前記画像データと画像出力条件を指定して複合装置ＭＦに画像出力要求する画像出力要求処理と、画像出力対象の前記画像データに対する前記画像出力条件に基づく画像処理能力を端末画像処理能力として取得する端末画像処理能力取得処理と、画像出力対象の前記画像データから前記画像出力条件に応じて前記端末画像処理能力に応じてディスプレイ４４へ表示する端末プレビュー画像を作成する端末プレビュー画像作成処理と、前記画像出力条件に対して、前記端末画像処理能力が不足している不足画像処理能力を判別する不足画像処理能力判別処理と、プレビュー対象の前記画像データのうち、前記不足画像処理能力に対応する部分画像データと該不足画像処理能力に対応する画像出力条件を抽出する不足情報抽出処理と、前記部分画像データと前記不足画像処理能力に対応する前記画像出力条件及び該部分画像データに対する装置プレビュー画像の作成要求を前記通信回線ＮＷを介して複合装置ＭＦに送信するプレビュー作成要求処理と、前記通信回線ＮＷを介して複合装置ＭＦから受信する前記装置プレビュー画像を前記端末プレビュー画像と合成して合成プレビュー画像を作成する合成プレビュー画像作成処理と、前記合成プレビュー画像をディスプレイ４４に表示させる表示制御処理と、を実行させるプレビュー画像作成制御プログラムを搭載している画像プレビューシステムとなっている。
【０１４３】
したがって、携帯端末装置ＫＴで画像出力条件を正確に表現したプレビュー画像を作成するのには、不足している画像出力条件についてのみ、複合装置ＭＦでプレビュー画像を作成して通信回線ＮＷを介して携帯端末装置ＫＴに送信して携帯端末装置ＫＴのディスプレイ４４で表示することができ、データ量を削減しつつ正確なプレビュー画像を携帯端末装置ＫＴで表示することができる。
【０１４４】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１４５】
１  画像出力システム
ＭＦ  複合装置
ＫＴ  携帯端末装置
ＮＷ  通信回線
１１  コントローラ
１２  エンジン
１３  オペレーションパネル
２１  ＣＰＵ
２２  ＲＯＭ
２３  ＲＡＭ
２４  メモリアービタ
２５  ＮＶＲＡＭ
２６  ネットワークＩ／Ｆ
２７  エンジンＩ／Ｆ
２８  パネルＩ／Ｆ
２９  バス
３１  システムコントロール機能部
３２  ネットワークＩ／Ｆ機能部
３３  ＰＤＬ機能部
３４  エンジンＩ／Ｆ機能部
３５  パネルＩ／Ｆ機能部
４１  ＣＰＵ
４２  ＲＯＭ
４３  ＲＡＭ
４４  ディスプレイ
４５  ネットワークＩ／Ｆ
４６  入力Ｉ／Ｆ
４７  バス
５１  プレビュー管理機能部
５２  画面制御機能部
５３  画像処理機能部
５４  画面表示機能部
５５  ネットワークＩ／Ｆ機能部
５６  ユーザＩ／Ｆ機能部
【先行技術文献】
【特許文献】
【０１４６】
【特許文献１】特開２０１０−２０５４５号公報
【図１】
2014059762.tif 000003
【図２】
2014059762.tif 000004
【図３】
2014059762.tif 000005
【図４】
2014059762.tif 000006
【図５】
2014059762.tif 000007
【図６】
2014059762.tif 000008
【図７】
2014059762.tif 000009
【図８】
2014059762.tif 000010
【図９】
2014059762.tif 000011
【図１０】
2014059762.tif 000012
【図１１】
2014059762.tif 000013
【図１２】
2014059762.tif 000014
【図１３】
2014059762.tif 000015